(57)【要約】【課題】二酸化塩素臭をほとんど発生させずに、二酸化塩素によるレジオネラ属菌などの殺菌を行うことができる殺菌装置を提供することである。【解決手段】水槽１０と、該水槽１０内から排水されて浄化された後に浄化された水を前記水槽内に供水する循環部１２、１６と、を備えた水施設の殺菌を行う殺菌装置において、前記循環部１２、１６の入口１１より下流の位置に二酸化塩素を供給する二酸化塩素供給手段２２と、該二酸化塩素供給手段２２によって二酸化塩素が供給される位置より下流で、かつ前記循環部１２、１６の出口より上流の位置に二酸化塩素の中和剤を供給する中和剤供給手段２４と、を備えたことを特徴とする。【選択図】図１
2005095781.tif 000002
【特許請求の範囲】
【請求項１】
水槽と、該水槽内から排水されて浄化された後に浄化された水を前記水槽内に供水する循環部と、を備えた水施設の殺菌を行う殺菌装置において、
前記循環部の入口より下流の位置に二酸化塩素を供給する二酸化塩素供給手段と、
該二酸化塩素供給手段によって二酸化塩素が供給される位置より下流で、かつ前記循環部の出口より上流の位置に二酸化炭素の中和剤を供給する中和剤供給手段と、を備えたことを特徴とする殺菌装置。
【請求項２】
前記中和剤供給手段は、前記二酸化塩素供給手段により供給された二酸化塩素によって前記水施設が殺菌されるのに十分な位置に、中和剤を供給するように構成されていることを特徴とする請求項１記載の殺菌装置。
【請求項３】
前記中和剤は、次亜塩素酸又はその塩であることを特徴とする請求項１記載の殺菌装置。
【発明の詳細な説明】
【技術分野】
【０００１】
本発明は、大型温泉施設、銭湯やプールの水槽内、及びその水槽内の水を循環する循環部内のレジオネラ属菌などの殺菌を行う殺菌装置に関する。
【背景技術】
【０００２】
近年、例えば、衛生管理が十分でない、いわゆる健康ランド型公衆浴場やプールなどにおけるレジオネラ属菌の感染事故が問題となっている。このため、厚生労働省は、対策マニュアルを発行し、保険所や組合などを通じてレジオネラ属菌の感染事故の危険性について衛生管理の指導を行っている。
【０００３】
浴槽のお湯やプールの水に含まれているレジオネラ属菌を除去する方法として、例えば次亜塩素酸ソーダを浴槽のお湯やプールの水内に入れるなど塩素を利用する方法や、二酸化塩素を用いる方法などがあり、特に二酸化塩素を用いる方法が効率が良く注目を浴びている（特許文献１参照）。
【特許文献１】特開平６−３９３７６号公報
【発明の開示】
【発明が解決しようとする課題】
【０００４】
しかしながら、二酸化塩素を利用してレジオネラ属菌などを除去する方法は、浴室やプール施設内が二酸化塩素臭で満たされてしまうため、快適な入浴やプールなどの利用などを提供することができないという問題がある。
【０００５】
そこで、本発明は、二酸化塩素臭をほとんど発生させずに、二酸化塩素によるレジオネラ属菌などの殺菌を行うことができる殺菌装置を提供することを目的とする。
【課題を解決するための手段】
【０００６】
以上の目的を達成するため、本発明は、水槽と、該水槽内から排水されて浄化された後に浄化された水を前記水槽内に供水する循環部と、を備えた水施設の殺菌を行う殺菌装置において、前記循環部の入口より下流の位置に二酸化塩素を供給する二酸化塩素供給手段と、該二酸化塩素供給手段によって二酸化塩素が供給される位置より下流で、かつ前記循環部の出口より上流の位置に二酸化塩素の中和剤を供給する中和剤供給手段と、を備えたことを特徴とする。前記中和剤は、次亜塩素酸又はその塩であることが好ましい。
【０００７】
本発明によれば、循環部の入口の位置に二酸化炭素を供給することにより、循環部のレジオネラ属菌などを殺菌することができ、循環部の出口よりも上流に中和剤を供給しているので、二酸化塩素が中和される。したがって、二酸化塩素が水槽内に供給されることはないので、二酸化塩素臭が発生することを防止できる。本発明に係る殺菌装置において、前記中和剤供給手段は、前記二酸化塩素供給手段により供給された二酸化塩素によって前記水施設が殺菌されるのに十分な位置に、中和剤を供給するように構成されていることが好ましい。
【発明の効果】
【０００８】
以上のように、本発明に係る殺菌装置によれば、二酸化塩素を循環部の出口よりも上流で中和させているので、二酸化塩素臭をほとんど発生させずに、二酸化塩素によるレジオネラ属菌などの殺菌を行うことができる殺菌装置を提供することができる。
【発明を実施するための最良の形態】
【０００９】
次に、本発明に係る殺菌装置の実施例について図面に基づいて説明する。図１は、本実施例に係る殺菌装置の概略ブロック図である。本実施例においては、プール内の水及びそれに接続された配管などの殺菌を行うものについて説明するが、本実施例に係る殺菌装置は、プール以外にも温泉の浴槽などにも利用することができる。また、本実施例に係る殺菌装置は、５つのプール内の水及びそれに接続された配管の殺菌を行うものであるが、５つのプール並びにその配管や浄化設備の構造は、同一であるので、以下、殺菌される５つのプールのうち、一つのプール１０についてのみ説明する。
【００１０】
本実施例に係る殺菌装置によって殺菌されるプール１０は、その底面に排水口１１が設けており、その排水口１１は、排水管１２を介して浄化装置１４に接続されている。浄化装置１４は、プール１０に使用された水を浄化するものであり、この浄化装置１４には、浄化された水をプール１０内に供水可能な供水管１６が接続されており、この供水管１６に設けられた供給ポンプ１８によって浄化された水がプール１０内に供水される。
【００１１】
本実施例に係る殺菌装置は、二酸化塩素を発生する二酸化塩素発生装置２０と、二酸化塩素発生装置２０によって発生された二酸化塩素を５つのプールに分配する二酸化塩素分配装置２２と、二酸化塩素の中和剤として使用される次亜塩素酸ソーダを５つのプールに分配する次亜塩素酸ソーダ分配装置２４と、水道水を二酸化塩素発生装置２０、二酸化塩素分配装置２２及び次亜塩素酸ソーダ分配装置２４に供給可能な水道管２５と、を備えている。
【００１２】
水道管２５は、二酸化塩素発生装置２０、二酸化塩素分配装置２２及び次亜塩素酸ソーダ分配装置２４それぞれに分岐して接続しており、それぞれの分岐管２５Ａ、２５Ｂ、２５Ｃには、水道水ポンプ２７Ａ、２７Ｂ、２７Ｃが設けられている。これら水道水ポンプ２７Ａ、２７Ｂ、２７Ｃをそれぞれ稼動させることによって二酸化塩素発生装置２０、二酸化塩素分配装置２２及び次亜塩素酸ソーダ分配装置２４それぞれに水道水を供給することができる。
【００１３】
二酸化塩素発生装置２０は、塩酸が蓄えられた第１原料タンク２６及び二酸化塩素ナトリウムが蓄えられた第２原料タンク２８に第１原料管３０及び第２原料管３２それぞれを介して接続されている。これら第１原料管３０及び第２原料管３２には、第１原料ポンプ３６及び第２原料ポンプ３８が設けられており、これら第１原料ポンプ３６及び第２原料ポンプ３８を稼動させることによって、第１原料タンク２６内の塩酸と第２原料タンク２８内の二酸化塩素ナトリウムを二酸化塩素発生装置２０に供給できるよう構成されている。二酸化塩素発生装置２０に供給された塩酸と二酸化塩素ナトリウムは、水道管２５Ａによって供水された水道水とともに化１の化学反応によって生成される。
【００１４】
【化１】
2005095781.tif 000003
【００１５】
二酸化塩素発生装置２０は、二酸化塩素接続管４０を介して二酸化塩素分配装置２２に接続されており、二酸化塩素接続管４０に設けられた二酸化塩素接続ポンプ４２によって二酸化塩素発生装置２０により生成された二酸化塩素が二酸化塩素分配装置２２に供給されるように構成されている。二酸化塩素分配装置２２は、水道管２５Ｂによって供水された水道水によって所定の濃度に希釈されるように構成されている。また、二酸化塩素配分装置２２は、５つのプール１０に接続された排水管１１と二酸化塩素供給管４４Ａ、４４Ｂ、４４Ｃ、４４Ｄ、４４Ｅを介して接続されており（２つ目以降のプール及び排水管は図示省略）、二酸化塩素供給管４４Ａ、４４Ｂ、４４Ｃ、４４Ｄ、４４Ｅに設けられた二酸化塩素供給ポンプ４６Ａ、４６Ｂ、４６Ｃ、４６Ｄ、４６Ｅによって、所定の濃度に希釈された二酸化塩素水を各プールの排水管に分配して供給するように構成されている。各プールの排水管に分配され供給される二酸化塩素の量は、各プールの容量に応じて決定されるよう構成されている。例えば、各プールの容量が５ｔ、１０ｔ、１５ｔ、３０ｔ、５０ｔの場合、１：２：３：６：１０の割合で供給されるように二酸化塩素が分配される。
【００１６】
次亜塩素酸分配装置２４は、次亜塩素酸が蓄えられた原料タンク４８に原料管５０を介して接続されており、この原料管５０には、原料ポンプ５２が設けられている。これら原料ポンプ５２を稼動させることによって、原料タンク４８内の次亜塩素酸は、次亜塩素酸分配装置２４に供給され、次亜塩素酸分配装置２４に供給された次亜塩素酸は、水道管２５Ｃによって供水された水道水によって所定の濃度に希釈されるよう構成されている。また、次亜塩素酸分配装置２４は、５つのプール１０に浄化された水を供水する供水管１６と次亜塩素酸供給管５４Ａ、５４Ｂ、５４Ｃ、５４Ｄ、５４Ｅを介して接続されており（二つ目以降のプール及び供水管は図示省略）、二酸化塩素供給管５４Ａ、５４Ｂ、５４Ｃ、５４Ｄ、５４Ｅに設けられた次亜塩素酸供給ポンプ５６Ａ、５６Ｂ、５６Ｃ、５６Ｄ、５６Ｅによって、所定の濃度に希釈された次亜塩素酸水を各プールの供水管１６に分配して供給するように構成されている。供水管１６の次亜塩素酸供給管５４Ａ、５４Ｂ、５４Ｃ、５４Ｄ、５４Ｅが接続される位置は、二酸化塩素供給管４４Ａ、４４Ｂ、４４Ｃ、４４Ｄ、４４Ｅから供給される二酸化塩素によってプール１０から排水された水などが殺菌されるのに十分な位置である。各プールの供水管に分配され供給される次亜塩素酸水の量は、各プールの容量に応じて決定されるよう構成されている。例えば、各プールの容量が５ｔ、１０ｔ、１５ｔ、３０ｔ、５０ｔの場合、１：２：３：６：１０の割合で供給される次亜塩素酸水が分配される。
【００１７】
供水管１６に次亜塩素酸が供給されると、供水管１６内を流動する二酸化塩素は中和される。
【００１８】
二酸化塩素供給ポンプ４６Ａ、４６Ｂ、４６Ｃ、４６Ｄ、４６Ｅ及び次亜塩素酸供給ポンプ５６Ａ、５６Ｂ、５６Ｃ、５６Ｄ、５６Ｅは、制御装置（図示省略）によって稼動が制御されるよう構成されている。例えば、浄化装置１４による浄化が一日３回行われる場合、二酸化塩素供給ポンプ４６Ａ、４６Ｂ、４６Ｃ、４６Ｄ、４６Ｅは、その浄化装置１４の稼働時間に合わせて稼動し、次亜塩素酸供給ポンプ５６Ａ、５６Ｂ、５６Ｃ、５６Ｄ、５６Ｅは、その後、所定時間後に稼動するよう制御されている。そして、所定の時間経過後、すなわち所定の量の二酸化塩素を供給する時間が経過した後に、二酸化塩素供給ポンプ４６Ａ、４６Ｂ、４６Ｃ、４６Ｄ、４６Ｅは、その稼動が停止され、その所定時間経過後に次亜塩素酸供給ポンプ５６Ａ、５６Ｂ、５６Ｃ、５６Ｄ、５６Ｅの稼動が停止するように構成されている。
【図面の簡単な説明】
【００１９】
【図１】本発明に係る殺菌装置の実施例の概略ブロック図である。
【符号の説明】
【００２０】
プール １０
排水管 １２
供水管 １６
二酸化塩素発生装置   ２０
二酸化塩素分配装置   ２２
次亜塩素酸分配装置   ２４
【図１】
2005095781.tif 000004